(57)【要約】【課題】防犯性を向上して操作パネルの破損を防止する。【解決手段】ユーザ操作により洗車条件を設定する操作ユニット７２を有した操作パネル７０を備えた洗車機ＷＡにおいて、操作パネル７０が前面に開口部７４を開口して操作ユニット７２が設置される収納部７４と、操作ユニット７２を露出させる窓部７６ａを開口して開口部７４を開閉する扉７６とを有し、窓部７６ａを開閉するとともに窓部７６ａを開いた際に収納部７４内に収納される防犯カバー８２を設けたことを特徴とする。【選択図】図４
2016030450.tif 000002
【特許請求の範囲】
【請求項１】
ユーザ操作により洗車条件を設定する操作ユニットを有した操作パネルを備えた洗車機において、
前記操作パネルが前面に開口部を開口して前記操作ユニットが設置される収納部と、前記操作ユニットを露出させる窓部を開口して前記開口部を開閉する扉とを有し、
前記窓部を開閉するとともに前記窓部を開いた際に前記収納部内に収納される防犯カバーを設けたことを特徴とする洗車機。
【請求項２】
前記防犯カバーは前記扉の背面に設けられることを特徴とする請求項１に記載の洗車機。
【請求項３】
前記扉が側端部で垂直な枢支軸により前記収納部に枢支され、前記防犯カバーが上端部で水平な枢支軸により前記扉に枢支されることを特徴とする請求項２に記載の洗車機。
【請求項４】
前記防犯カバーが開かれた際に前記操作ユニットの上方に収納されることを特徴とする請求項３に記載の洗車機。
【請求項５】
前記防犯カバーの収納時に前記操作ユニット上をスライドして前記作ユニットに載置されることを特徴とする請求項４に記載の洗車機。
【請求項６】
前記収納部、前記扉及び前記防犯カバーが金属板により形成され、前記防犯カバーの前面に樹脂板を設けたことを特徴とする請求項５に記載の洗車機。
【請求項７】
前記防犯カバーが開かれた状態を保持する保持部材を設けたことを特徴とする請求項２〜４のいずれかに記載の洗車機。
【請求項８】
前記操作ユニットが前記窓部から突出し、前記防犯カバーを閉じた際に前記操作ユニットに嵌合して前記窓部から前方に突出する突出部を有することを特徴とする請求項１〜７のいずれかに記載の洗車機。
【請求項９】
前記操作ユニットが金銭を処理する金銭処理部を有することを特徴とする請求項１〜８のいずれかに記載の洗車機。
【請求項１０】
ユーザ操作により所望の条件を設定する操作ユニットを有した操作パネルにおいて、
前面に開口部を開口して前記操作ユニットが設置される収納部と、前記操作ユニットを露出させる窓部を開口して前記開口部を開閉する扉とを有し、
前記窓部を開閉するとともに前記窓部を開いた際に前記収納部内に収納される防犯カバーを設けたことを特徴とする操作パネル。
【請求項１１】
操作パネルが屋外に設置されることを特徴とする請求項１０に記載の操作パネル。
【請求項１２】
前記防犯カバーが前記扉の背面に設けられるとともに、前記扉が側端部で垂直な枢支軸により前記収納部に枢支され、前記防犯カバーが上端部で水平な枢支軸により前記扉に枢支されることを特徴とする請求項１０又は１１に記載の操作パネル。
【発明の詳細な説明】
【技術分野】
【０００１】
本発明は、洗車機および操作パネルに関する。
【背景技術】
【０００２】
給油所等に設置される従来の洗車機は特許文献１に開示される。この洗車機は洗車機本体及び操作パネルを備えている。
【０００３】
洗車機本体は門型に形成され、被洗浄車両を跨いで前後方向に移動する。洗車機本体の上部や側部には回転ブラシや空気を送出するブロアが設けられる。回転ブラシはモータにより回転し、洗車時に被洗浄車両に沿って摺動して洗浄する。ブロアは回転ブラシによる洗浄後に空気を送出して被洗浄車両を乾燥させる。
【０００４】
被洗浄車両の進入経路上にはリモートパネルが設置される。リモートパネルはユーザ操作によって洗車条件等を指示する操作ユニットを筐体内に配し、操作ユニットは筐体の前面の開口部から露出して操作される。
【０００５】
上記構成の洗車機において、ユーザが操作パネルの面前に停止して洗車条件を入力する。その後、洗車機本体は被洗浄車両に対して前後方向に移動し、被洗浄車両の洗浄及び乾燥を行う。
【先行技術文献】
【特許文献】
【０００６】
【特許文献１】特開平１１−２２７５７４号公報
【発明の概要】
【発明が解決しようとする課題】
【０００７】
しかしながら、上記従来の洗車機によると、リモートパネルが屋外に設置されるため、夜間や休業日等に操作ユニットが悪戯等の悪意によって破損される問題があった。また、洗車料金が投入される金銭処理部を操作ユニットに設けた場合に、金銭が盗難される問題や盗難のために操作ユニットが破損される問題があった。
【０００８】
本発明は、防犯性を向上して操作ユニットの破損を防止できる洗車機および操作パネルを提供することを目的とする。
【課題を解決するための手段】
【０００９】
上記目的を達成するために本発明は、ユーザ操作により洗車条件を設定する操作ユニットを有した操作パネルを備えた洗車機において、前記操作パネルが前面に開口部を開口して前記操作ユニットが設置される収納部と、前記操作ユニットを露出させる窓部を開口して前記開口部を開閉する扉とを有し、前記窓部を開閉するとともに窓部を開いた際に前記収納部内に収納される防犯カバーを設けたことを特徴とする。
【００１０】
また、本発明は上記構成の洗車機において、前記防犯カバーは前記扉の背面に設けられることを特徴とする。
【００１１】
また、本発明は上記構成の洗車機において、前記扉が側端部で垂直な枢支軸により枢支され、前記防犯カバーが上端部で水平な枢支軸により枢支されることを特徴とする。
【００１２】
また、本発明は上記構成の洗車機において、前記防犯カバーが開かれた際に前記操作ユニットの上方に収納されることを特徴とする。
【００１３】
また、本発明は上記構成の洗車機において、前記防犯カバーの収納時に前記操作ユニット上をスライドして前記作ユニットに載置されることを特徴とする。
【００１４】
また、本発明は上記構成の洗車機において、前記収納部、前記扉及び前記防犯カバーが金属板により形成され、前記防犯カバーの前面に樹脂板を設けたことを特徴とする。
【００１５】
また、本発明は上記構成の洗車機において、前記防犯カバーが開かれた状態を保持する保持部材を設けたことを特徴とする。
【００１６】
また、本発明は上記構成の洗車機において、前記操作ユニットが前記窓部から突出し、前記防犯カバーを閉じた際に前記操作ユニットに嵌合して前記窓部から前方に突出する突出部を有することを特徴とする。
【００１７】
また、本発明は上記構成の洗車機において、前記操作ユニットが金銭を処理する金銭処理部を有することを特徴とする。
【００１８】
上記目的を達成するために本発明は、ユーザ操作により所望の条件を設定する操作ユニットを有した操作パネルにおいて、前面に開口部を開口して前記操作ユニットが設置される収納部と、前記操作ユニットを露出させる窓部を開口して前記開口部を開閉する扉とを有し、前記窓部を開閉するとともに前記窓部を開いた際に前記収納部内に収納される防犯カバーを設けたことを特徴とする。
【００１９】
また、本発明は上記構成の操作パネルにおいて、操作パネルが屋外に設置されることを特徴とする。
【００２０】
また、本発明は上記構成の操作パネルにおいて、前記防犯カバーが前記扉の背面に設けられるとともに、前記扉が側端部で垂直な枢支軸により前記収納部に枢支され、前記防犯カバーが上端部で水平な枢支軸により前記扉に枢支されることを特徴とする。
【発明の効果】
【００２１】
本発明によると、操作パネルの本体部が操作ユニットを露出させる窓部を開口した扉を有し、窓部を開閉するとともに窓部を開いた際に本体部内に収納させる防犯カバーを扉の背面に設けた。このため、洗車場のスタッフは営業時には窓部を開いて防犯カバーを本体部内に収納させ、休業時には防犯カバーにより窓部を閉じる。これにより、夜間や休業日などにいたずら等の悪意による操作ユニットの損傷を防止することができる洗車機および操作パネルを提供できる。
【図面の簡単な説明】
【００２２】
【図１】本発明の一実施形態の洗車機を示す側面図
【図２】本発明の一実施形態の洗車機を示す正面図
【図３】本発明の一実施形態の洗車機のリモートパネルの斜視図
【図４】本発明の一実施形態の洗車機のリモートパネルの扉を開いた状態の斜視図
【図５】本発明の一実施形態の洗車機のリモートパネルの防犯カバーを閉じた状態の斜視図
【発明を実施するための形態】
【００２３】
以下に本発明の実施形態を図面を参照して説明する。図１、図２は本発明の一実施形態の洗車機ＷＡを示す側面図及び正面図である。洗車機ＷＡは屋外に設置されるとともに洗車機本体１、レール２及びリモートパネル７Ａを備えている。洗車機本体１は左右の対向する２つのスタンド部９０と、スタンド部９０の上端を連結する天井部９１とを有した門型に形成される。
【００２４】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００２５】
スタンド部９０には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２６】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの液体を噴射する。撥水コートノズル１４及びワックスノズル１６は洗車機本体１の後面に配される。撥水コートノズル１４は被洗浄車両ＣＡに対して撥水コート剤の液体を噴射する。ワックスノズル１６は被洗浄車両ＣＡに対して液体のワックスを噴射する。
【００２７】
洗車機本体１の前面上部、側部には車両形状センサ８、９が設けられている。車両形状センサ８、９は光電センサや超音波センサ等から成り、洗車機本体１に進入する被洗浄車両ＣＡの外面形状や装備品を検知する。
【００２８】
洗車機本体１の右側のスタンド部９０の前面には操作盤７が配される。操作盤７は洗車条件を設定する操作ボタン（不図示）を備えている。
【００２９】
洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は天井部９１に設けられ、被洗浄車両ＣＡの上面に向けて送風する。サイド送風ノズル２２は洗車機本体１の両側部にそれぞれ設けられ、被洗浄車両ＣＡの側面に向けて送風する。
【００３０】
洗車機本体１には被洗浄車両ＣＡ上に摺動して駆動モータ（不図示）により回転してブラッシングするトップブラシ４、サイドブラシ５及びロッカーブラシ６が設けられている。トップブラシ４は天井部９１に設けられ、被洗浄車両ＣＡの上面に沿って移動して被洗浄車両ＣＡの上面を洗浄する。サイドブラシ５は左右のスタンド部９０に設けられ。サイドブラシ５によって被洗浄車両ＣＡの前面、両側面及び後面が洗浄される。ロッカーブラシ６は左右のスタンド部９０の下部に設けられ、被洗浄車両ＣＡの両側面の下部を洗浄する。
【００３１】
洗車機本体１の進入経路ＳＴ上には金属板から成るリモートパネル（操作パネル）７０が配される。図３はリモートパネル７０の斜視図を示している。
【００３２】
リモートパネル７０は地面Ｇ（図１参照）に立設した支柱７３により支持される本体部７１を有している。本体部７１は正面視横長の矩形に形成される。本体部７１の前面は窓部７６ａを開口した扉７６により開閉される。本体部７１の上面及び両側面には扉７６よりも前方に突出した庇部７５が設けられ、後述する操作ユニット７２に雨水がかかることを防止する。
【００３３】
扉７６にはインターホン７９、昇降ボタン７１ｂ及び窓部７６ａが設けられている。インターホン７９は扉７６の前面の右側部に設けられ、インターホン７９の操作によりユーザは洗車スタッフと通話が可能になる。昇降ボタン７１ｂは上下一対に設けられ、昇降ボタン７１ｂの操作により本体部７１は支柱７３に沿って上下方向に昇降される。
【００３４】
窓部７６ａは横長の矩形状に形成されるとともに窓部７６ａの横幅は支柱７３の横幅よりも大きく、縦幅はインターホン７９の上下の昇降ボタン７１ｂの近傍まで延びて形成されている。
【００３５】
また、本体部７１には窓部７６ａから露出した操作ユニット７２が設けられる。操作ユニット７２は本体部７１に着脱可能に設けられ、操作ユニット７２には表示部７２ａ、設定ボタン７２ｂ、金銭処理部７２ｃが設けられている。表示部７２ａは動画や静止画を表示し、洗車条件を案内する。設定ボタン７２ｂは複数のボタンから構成され、設定ボタン７２ｂの操作によりシャンプー、ワックス掛け、撥水コート等に使用する液剤を用いた洗車条件を設定することができる。また、フロントガード有り、フェンダーポール有り、サイドミラー有り、リヤワイパ有り、ルーフキャリア有り等の装備品の設定もすることができる。なお、表示部７２ａがタッチパネルから形成され、表示部７２ａから洗車条件を入力してもよい。
【００３６】
金銭処理部７２ｃは操作ユニット７２の右側端部に設けられ、洗車条件を設定する際の金銭の入金や出金等を処理する。金銭処理部７２ｃには金銭投入口７２ｄ、つり銭返却口７２ｅ、金銭保存部（不図示）等から構成されている。つり銭返却口７２ｅは椀状に形成され、前端部は操作ユニット７２の前面よりも前方へ突出している。
【００３７】
図４はリモートパネル７０の扉７６を開いた状態の斜視図を示している。本体部７１は前面に開口部７４ａを有した収納部７４内に操作ユニット７２を設置して収納し、扉７６によって開口部７４ａが開閉される。扉７６は左方の側端部７１ａで収納部７４に連結したヒンジ（不図示）によって垂直な枢支軸７７で枢支される。扉７６の右端部に設けたロック部８０（図１参照）が収納部７４と係合し、扉７６の閉じた状態をロック部８０によりロックできる。
【００３８】
扉７６の背面には防犯カバー８２が取り付けられる。防犯カバー８２は上端部でヒンジ８４によって水平な枢支軸７７で扉７６に枢支され、窓部７６ａを開閉する。防犯カバー８２を閉じると、下端部８２ｂが扉７６の背面に当接して防犯カバー８２の回動が規制される。
【００３９】
防犯カバー８２の側壁８２ａには保持部材８１の上端が軸支され、保持部材８１の下端は扉７６の背面に軸支される。保持部材８１は長手方向の中央部で屈曲可能に形成され、屈曲した状態から一直線状に伸長すると伸長状態が保持される。このため、防犯カバー８２が窓部７６ａを閉じると保持部材８１が屈曲され、窓部７６ａを開くと保持部材８１の伸長により防犯カバー８２が水平な位置に保持される。
【００４０】
これにより、扉７６を閉じると、防犯カバー８２が収納部７４内の操作ユニット７２の上方の空間に収納される。この時、本体部７１が正面視横長に形成され、防犯カバー８２が上端部で枢支されるため、開いた防犯カバー８２の奥行を短く形成できる。これにより、防犯カバー８２を収納する本体部７１の奥行を小さくすることができる。また、扉７６が側端部７１ａで枢支されるため、窓部７６ａを開いた防犯カバー８２を収納部７４内に進入させながら容易に扉７６を閉じることができる。
【００４１】
また、防犯カバー８２には窓部７６ａを閉じた際に前面側に突出して窓部７６ａに嵌合する突出部８３が設けられる。
【００４２】
図５はリモートパネル７０の防犯カバー８２及び扉７６を閉じた状態を示している。防犯カバー８２を閉じた扉７６により開口部７４ａを閉じると、防犯カバー８２の下端部８２ｂ（図２参照）が扉７６の背面と収納部７４の開口部７４ａの下方との間に挟まれる。窓部７６ａから突出する操作ユニット７２（図３参照）のつり銭返却口７２ｅは突出部８３の背面側の内部に収納される。そして、ロック部８０により扉７６がロックされる。
【００４３】
この時、突出部８３の側壁８３ａ及び突出部８３の前面８２ｃが邪魔になり、上下方向、左右方向からも悪意あるユーザが操作ユニット７２を操作することができない。これにより、操作ユニット７２の破損を防止できる。また、突出部８３により操作ユニット７２が覆われているので外側から操作ユニット７２を認識できない。これにより、悪意あるユーザの悪戯を防止できる。
【００４４】
なお、収納部７４、扉７６及び防犯カバー８２が金属板により形成されている。これにより、リモートパネル７０の耐久性を向上できる。
【００４５】
上記構成の洗車機ＷＡにおいて、ユーザが運転して被洗浄車両ＣＡをリモートパネル７Ａの面前で停車させ、被洗浄車両ＣＡの洗車条件の設定を被洗浄車両ＣＡ内から行う。
【００４６】
洗車条件を設定した後、ユーザは所定の洗浄開始位置まで被洗浄車両ＣＡを移動させる。そして、洗車機本体１が前後向に移動して車両形状センサ８、９により被洗浄車両ＣＡの形状を検出し、トップブラシ４、サイドブラシ５及びロッカーブラシ６による洗浄が行われる。
【００４７】
トップブラシ４、サイドブラシ５及びロッカーブラシ６による洗浄に続き、サイド送風ノズル２２及びトップ送風ノズル２１による乾燥がおこなわれて洗車が終了する。
【００４８】
ここで、洗車場の営業時には窓部７６ａを開いて本体部７１内に防犯カバー８２を収納させる。これにより防犯カバー８２が邪魔にならず、操作ユニット７２を操作でき、また防犯カバー８２の損失を防止できる。休業時時には防犯カバー８２により窓部７６ａを閉じて扉７６が閉じられる。これにより、操作ユニット７２が隠蔽され、夜間や休業日等の悪戯による操作ユニット７２の破損を防止できる。また、金銭処理部７２ｃ内の金銭の盗難を防止するとともに、盗難による操作ユニット７２の破損を防止できる。
【００４９】
本実施形態によると、リモートパネル７０の本体部７１が操作ユニット７２を露出させる窓部７６ａを開口して開口部７４ａを開口する扉７６を有し、窓部７６ａを開閉するとともに窓部７６ａを開いた際に本体部７１内に収納させる防犯カバー８２を扉７６の背面に設けた。このため、給油所のスタッフは営業時には窓部７６ａを開いた際に防犯カバー８２を本体部７１内に収納させ、休業時には防犯カバー８２により窓部７６ａを閉じる。これにより、夜間や休業日などにいたずら等の悪意による操作ユニット７２の損傷を防止することができる。
【００５０】
また、防犯カバー８２は扉７６の背面に設けられるため、防犯カバー８２が邪魔にならずに収納できるリモートパネル７０を容易に実現することができる。
【００５１】
また、扉７６が側端部７１ａで垂直な枢支軸７７により枢支され、防犯カバー８２が上端部で水平な枢支軸７８により枢支される。これにより、窓部７６ａを開いた防犯カバー８２を収納部７４内に進入させながら容易に扉７６を閉じることができる。
【００５２】
また、防犯カバー８２が開かれた際に操作ユニット７２の上方に収納される。収納部７４内に設置される操作ユニット７２の上方には容易に空間を形成できるため、防犯カバー８２が邪魔にならずに収納できるリモートパネル７０を容易に実現することができる。
【００５３】
また、防犯カバー８２が開かれた状態を保持する保持部材８１を設けたため、従って、扉７６を容易に開閉することができ、洗車機ＷＡの利便性を向上することができる。
【００５４】
また、操作ユニット７２が窓部７６ａから突出し、防犯カバー８２を閉じた際に操作ユニット７２に嵌合する突出部８３を有する。このため、防犯カバー８２により窓部７６ａを閉じた際に窓部７６ａから突出する操作ユニット７２を突出部８３の背面側の内部に収納することができる。従って、窓部７６ａから突出した操作ユニット７２を防犯カバー８２により覆うリモートパネル７０を容易に実現することができる。
【００５５】
また、操作ユニット７２が金銭を処理する金銭処理部７２ｃを有するため、防犯カバー８２により金銭の盗難を防止することができる。
【００５６】
また、本実施形態において、操作ユニット７２を有した操作パネルがリモートパネル７０により形成されるが、洗車機本体１の操作盤７により形成してもよい。即ち、操作盤７がスタンド部９０と一体の収納部７４内に操作ユニット７２を配され、収納部７４の前面が窓部７６ａを有した扉７６により開閉される。そして、窓部７６ａを開閉する防犯カバー８２が扉７６の背面に設けられる。これにより、操作盤７から成る操作パネルの悪戯等による破損や盗難を防止することができる。
【００５７】
また、防犯カバー８２が扉７６の背面に設けられていなくてもよい。例えば、開口部７４ａが防犯カバー８２及び扉７６の２重の扉で開閉されており、防犯カバー８２が扉７６と対向する本体部７１に設けられる右側端部で垂直な回動軸で開閉されてもよい。扉７６を防犯カバー８２よりも外側で開閉することで本実施形態と同様の効果を奏することができる。
【００５８】
また、リモートパネル７０が昇降しない場合であってもよい。また、洗車機ＷＡを利用するユーザが被洗浄車両ＣＡに乗ったまま洗車を受けて洗車機本体１を通り抜けるドライブスルー方式の洗車機ＷＡでもよい。
【００５９】
また、リモートパネル７０が洗車条件以外の所定の条件を設定してもよい。例えば、屋外で利用されるリモートパネル７０がフォーストフードのドライブスルーで使用され、所望条件がファーストフードの注文でもよい。また、駐車場、駐輪場、自動販売機、サファリパーク等の遊戯施設に設けられ、設置目的に応じた所望条件を設定してもよい。また、室内のデジタルプリント設備に設けられてもよい。
【００６０】
また、防犯カバー８２の前面８２ｃ（突出部８３の外側の前面）に樹脂板（不図示）を設けてもよい。この時、防犯カバー８２の収納時に操作ユニット７２上を防犯カバー８２がスライドして操作ユニット７２に載置される。これにより、操作性が向上するとともに、保持部材８１を設ける必要がなくコストを削減でき、操作ユニット７２の損傷を防止することができる。また、操作ユニット７２の上面が平滑処理されていてもよい。
【産業上の利用可能性】
【００６１】
本発明によると、洗車機および操作パネルに利用することができる。
【符号の説明】
【００６２】
１    洗車機本体
２    レール
３    車輪
４    トップブラシ
５    サイドブラシ
６    ロッカーブラシ
７    操作盤（操作パネル）
７０  リモートパネル（操作パネル）
７１  本体部
７１ａ  側端部
７１ｂ  昇降ボタン
７２  操作ユニット
７２ａ  表示部
７２ｂ  設定ボタン
７２ｃ  金銭処理部
７２ｄ  紙幣投入口
７２ｅ  つり銭返却口
７３  支柱
７４    収納部
７４ａ  開口部
７５  庇部
７６  扉
７６ａ  窓部
７７  枢支軸
７８  枢支軸
７９  インターホン
８０  ロック部
８１  保持部材
８２  防犯カバー
８２ａ  側壁
８２ｂ  下端部
８２ｃ  前面
８３  突出部
８３ａ  側壁
８４  ヒンジ
９０  スタンド部
９１  天井部
ＣＡ  被洗浄車両
ＳＴ  進入経路
ＷＡ  洗車機
【図１】
2016030450.tif 000003
【図２】
2016030450.tif 000004
【図３】
2016030450.tif 000005
【図４】
2016030450.tif 000006
【図５】
2016030450.tif 000007